(57)【要約】  必要に応じて放送コンテンツに連携するＡＩＴを差し替えることができる放送機器を提供すること。  放送信号を受信する受信部１０１と、放送信号を番組コンテンツと制御情報に分離処理する分離処理部１０２と、番組コンテンツを処理するコンテンツ処理部１０３と、制御情報に含まれているＡＩＴを削除する削除部１０４と、番組コンテンツに連携するＡＩＴを記憶する記憶部１０５と、制御情報に含まれている番組コンテンツを示す情報に基づいて、ＡＩＴを記憶部１０５から読み出す読出部１０６と、削除部１０４によりＡＩＴが削除された制御情報に、読出部１０６により読み出されたＡＩＴを付加する付加部１０７と、ＡＩＴが新たに付加された制御情報と、コンテンツ処理部１０３により処理された後の番組コンテンツを多重化処理する多重化処理部１０８と、多重化処理された信号を放送信号として送信する送信部１０９を備える。
2012157741.tif 000002
【特許請求の範囲】
【請求項１】
他の放送局から配信されてきた放送信号を受信する受信手段と、
前記受信手段により受信した放送信号を映像等コンテンツと制御情報に分離処理する分離処理手段と、
前記分離処理手段により分離処理された前記映像等コンテンツを処理するコンテンツ処理手段と、
前記分離処理手段により分離処理された前記制御情報に含まれているアプリケーション管理情報を削除する削除手段と、
映像等コンテンツに連携する連携アプリケーションの管理情報を記憶部に記憶する記憶手段と、
前記制御情報に含まれている前記映像等コンテンツを示す情報に基づいて、前記映像等コンテンツに連携するアプリケーション管理情報を前記記憶部から読み出す読出手段と、
前記削除手段によりアプリケーション管理情報が削除された前記制御情報に、前記読出手段により読み出されたアプリケーション管理情報を付加する付加手段と、
前記付加手段によりアプリケーション管理情報が新たに付加された制御情報と、前記コンテンツ処理手段により処理された後の映像等コンテンツを多重化処理する多重化処理手段と、
前記多重化処理手段により多重化処理された信号を放送信号として送信する送信手段を備える放送機器。
【請求項２】
アプリケーション管理情報を差し替える必要があるかどうかを判断する判断制御手段を備え、
前記記憶部は、映像等コンテンツを一意に特定するコンテンツ識別情報と、当該映像等コンテンツに連携するアプリケーション管理情報が関連付けられている関連テーブルを有しており、
前記判断制御手段は、前記関連テーブルを参照し、映像等コンテンツのコンテンツ識別情報に基づいて、前記記憶部に当該映像等コンテンツに関連するアプリケーション管理情報が有ることを確認した場合には、前記削除手段と前記読出手段に対して、アプリケーション管理情報の差し替え処理を行うように制御する請求項１記載の放送機器。
【請求項３】
前記アプリケーション管理情報は、連携アプリケーションが所在する位置の情報が含まれている請求項１又は２に記載の放送機器。
【請求項４】
前記コンテンツ処理手段は、前記映像等コンテンツに含まれる広告コンテンツを別の広告コンテンツに差し替え、
前記読出手段は、前記コンテンツ処理手段により差し替えられる広告コンテンツに対応するアプリケーション管理情報を前記記憶部から読み出す請求項１記載の放送機器。
【発明の詳細な説明】
【技術分野】
【０００１】
本発明は、放送波を送信（送出）する機能を有する放送機器に関する。
【背景技術】
【０００２】
近年、放送のデジタル化と通信のブロードバンド化の進展に伴い、放送通信連携サービスの実現に向けた研究開発が行われている。【０００３】
また、この放送通信連携サービスにおいては、放送と通信という異なる伝送路を用いて複数のコンテンツを配信し、デジタルテレビ等の受信機において、配信された複数のコンテンツを統合して提示する形態が想定される。【０００４】
また、放送通信連携サービスでは、放送コンテンツに連携するアプリケーションの情報（アプリケーション管理情報）を放送波に含ませて送信し、当該アプリケーション管理情報に基づいて、通信網から連携アプリケーションを受信するサービスが考えられる。
【先行技術文献】
【特許文献】
【０００５】
【特許文献１】特開２００３−６０９３１号公報
【発明の概要】
【発明が解決しようとする課題】
【０００６】
ところで、放送には、全国中継されるものがある。全国中継においては、コンテンツの大部分が、東京にある最初の発信局（以下、親局という）で作成され、中継回線を経由してそれを受ける各地方都市の系列の放送局（以下、下位局という）へ送信される。【０００７】
ここで、地方局は、原則的に、親局から送信されてきたコンテンツをそのまま放送するが、部分的に親局のコンテンツから下位局で作成したコンテンツに差し替えて放送を行う場合がある。例えば、下位局（関西地方の放送局）において、全国中継のニュース番組に含まれる天気予報を、親局から送信されてきた天気予報コンテンツ（例えば、関東地方の天気予報）から下位局の天気予報コンテンツ（例えば、関西地方の天気予報）に差し替えることが想定される。【０００８】
このような場合において、親局から送信されてきた天気予報コンテンツに連携するアプリケーション管理情報が、差し替えられた下位局の天気予報コンテンツに連携しない場合には、ミスマッチングが発生してしまう。【０００９】
また、連携するアプリケーションを配信するサーバの処理負担を軽減するために、地域によって異なるサーバが指定される場合には、放送コンテンツの差し替えが生じなくても、アプリケーション管理情報の変更が必要な場合がある。【００１０】
そこで、本発明では、必要に応じて、下位局において放送コンテンツに連携するアプリケーション管理情報を差し替えることができる放送機器を提供することを一つの目的とする。
【課題を解決するための手段】
【００１１】
本発明に係る放送機器は、他の放送局から配信されてきた放送信号を受信する受信手段と、前記受信手段により受信した放送信号を映像等コンテンツと制御情報に分離処理する分離処理手段と、前記分離処理手段により分離処理された前記映像等コンテンツを処理するコンテンツ処理手段と、前記分離処理手段により分離処理された前記制御情報に含まれているアプリケーション管理情報を削除する削除手段と、映像等コンテンツに連携する連携アプリケーションの管理情報を記憶部に記憶する記憶手段と、前記制御情報に含まれている前記映像等コンテンツを示す情報に基づいて、前記映像等コンテンツに連携するアプリケーション管理情報を前記記憶部から読み出す読出手段と、前記削除手段によりアプリケーション管理情報が削除された前記制御情報に、前記読出手段により読み出されたアプリケーション管理情報を付加する付加手段と、前記付加手段によりアプリケーション管理情報が新たに付加された制御情報と、前記コンテンツ処理手段により処理された後の映像等コンテンツを多重化処理する多重化処理手段と、前記多重化処理手段により多重化処理された信号を放送信号として送信する送信手段を備える構成である。【００１２】
かかる構成によれば、本発明に係る放送機器は、受信手段で受信した放送信号の制御情報に含まれているアプリケーション管理情報を、記憶部に記憶されているアプリケーション管理情報に差し替えるので、例えば、下位局において、映像等コンテンツ（放送コンテンツ）とアプリケーション管理情報にミスマッチングを生じさせないメリットがある。【００１３】
また、放送機器では、アプリケーション管理情報を差し替える必要があるかどうかを判断する判断制御手段を備え、前記記憶部は、映像等コンテンツを一意に特定するコンテンツ識別情報と、当該映像等コンテンツに連携するアプリケーション管理情報が関連付けられている関連テーブルを有しており、前記判断制御手段は、前記関連テーブルを参照し、映像等コンテンツのコンテンツ識別情報に基づいて、前記記憶部に当該映像等コンテンツに関連するアプリケーション管理情報が有ることを確認した場合には、前記削除手段と前記読出手段に対して、アプリケーション管理情報の差し替え処理を行うように制御する構成でも良い。【００１４】
かかる構成によれば、本発明に係る放送機器は、関連テーブルを参照し、一定条件下に、受信手段で受信した放送信号の制御情報に含まれているアプリケーション管理情報を、記憶部に記憶されているアプリケーション管理情報に差し替えることができる。【００１５】
また、放送機器では、前記アプリケーション管理情報は、連携アプリケーションが所在する位置の情報が含まれている構成でも良い。【００１６】
かかる構成によれば、本発明に係る放送機器は、受信手段で受信した放送信号の制御情報に含まれているアプリケーション管理情報から、記憶部に記憶されているアプリケーション管理情報に差し替えるので、地域によって、連携アプリケーションをダウンロードするサーバを異ならすことができ、サーバの処理負担を軽減することができる。【００１７】
また、放送機器では、前記コンテンツ処理手段は、前記映像等コンテンツに含まれる広告コンテンツを別の広告コンテンツに差し替え、前記読出手段は、前記コンテンツ処理手段により差し替えられる広告コンテンツに対応するアプリケーション管理情報を前記記憶部から読み出す構成であっても良い。【００１８】
かかる構成によれば、本発明に係る放送機器は、広告コンテンツの差し替えに応じて、アプリケーション管理情報も差し替えるので、例えば、下位局において、広告コンテンツとアプリケーション管理情報にミスマッチングを生じさせないメリットがある。
【発明の効果】
【００１９】
本発明によれば、必要に応じて放送コンテンツに連携するアプリケーション管理情報を差し替えることができる。
【図面の簡単な説明】
【００２０】
【図１】放送通信連携システムの全体構成図である。
【図２】デジタル放送に係る放送信号の伝送プロトコルのスタックを示す図である。
【図３】受信機の機能構成を示すブロック図である。
【図４】ＸＭＬ形式で記述されたＡＩＴの一例を示す図である。
【図５】放送機器の構成を示す図である。
【発明を実施するための形態】
【００２１】
以下、本発明の実施の形態について図面を参照して説明する。
図１は、放送通信連携システム１０の全体構成図である。放送通信連携システム１０は、放送局１と、放送用アンテナ２と、サービスサーバ３（配信サーバ）と、受信機４とを含んで構成される。この放送通信連携システム１０では、受信機４において、ＩＳＤＢ（Ｉｎｔｅｇｒａｔｅｄ  Ｓｅｒｖｉｃｅｓ  Ｄｉｇｉｔａｌ  Ｂｒｏａｄｃａｓｔｉｎｇ：統合デジタル放送サービス）方式によって放送局１から提供される放送サービスと、インターネット等により構成される通信ネットワークＮを介してサービスサーバ３から提供される通信サービスとを連携し、放送通信連携サービスとして受信機４のユーザに提供する。
【００２２】
放送局１は、番組編成設備と、番組送信設備と、送信設備とを含んで構成される一般的なデジタル放送用の放送設備（図示省略）を備える。
放送局１は、放送設備によって、コンテンツや、イベント情報（Ｅｖｅｎｔ  Ｉｎｆｏｒｍａｔｉｏｎ  Ｔａｂｌｅ：ＥＩＴ）や、アプリケーション管理情報（Ａｐｐｌｉｃａｔｉｏｎ  Ｉｎｆｏｒｍａｔｉｏｎ  Ｔａｂｌｅ：ＡＩＴ）等を制作する。そして、放送局１は、放送設備によって、これらコンテンツ、イベント情報及びＡＩＴ等を放送信号に多重化する。そして、放送局１は、放送設備によって、この放送信号を放送波に変調し、放送用アンテナ２を介して放送波を放送する。
【００２３】
放送局１から放送される放送波に含まれるコンテンツには、放送スケジュールに従って放送され映像や音声を含んで構成されるコンテンツである番組コンテンツや、番組コンテンツとは非同期に発生する緊急地震速報等のコンテンツである緊急コンテンツ等が含まれる。
【００２４】
イベント情報は、番組コンテンツの名称、番組コンテンツの放送日時、番組コンテンツの説明等、コンテンツに関するメタ情報を含む。以下、イベント情報をＥＩＴという。
ＡＩＴは、番組コンテンツに連動するコンテンツを受信機４に提供可能なアプリケーションプログラム（以下、アプリケーションと記載する）を１又は複数管理するための管理情報である。ＡＩＴには、１又は複数のアプリケーションそれぞれに対応し、１又は複数のアプリケーションそれぞれを管理するための個別管理情報が、１又は複数含まれる。個別管理情報には、アプリケーションを識別するアプリケーションＩＤや、アプリケーションのライフサイクルを制御するライフサイクル制御情報や、アプリケーションの所在を示すロケーション情報が含まれている（図４参照）。
【００２５】
アプリケーションにより提供されるコンテンツには、番組コンテンツに連動するコンテンツ及び番組コンテンツに連動しないコンテンツが含まれる。以下、アプリケーションにより提供されるコンテンツをアプリ用コンテンツという。
【００２６】
放送信号は、従来のデジタル放送の放送信号と同一であり、ＡＲＩＢ（登録商標）（Ａｓｓｏｃｉａｔｉｏｎ  ｏｆ  Ｒａｄｉｏ  Ｉｎｄｕｓｔｒｉｅｓ  ａｎｄ  Ｂｒｏａｄｃａｓｔ：社団法人電波産業会）標準規格で規定される。
【００２７】
図２は、デジタル放送に係る放送信号の伝送プロトコルのスタックを示す図である。図２に示すように、デジタル放送によって提供される映像、音声等の各種データは、国際標準規格ＭＰＥＧ−２  Ｓｙｓｔｅｍｓで規定されるＴＳパケット（トランスポートストリームパケット）に格納されて、時分割で多重伝送される。
【００２８】
ＴＳパケットには、図２に示すように、セクションに対してＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）が規定されている。ＰＳＩ／ＳＩには、ＴＳパケットに格納されているデータの種別を示す情報や、コンテンツの種別を示す情報が含まれている。上述のＥＩＴは、ＳＩに含まれている。
【００２９】
ＴＳパケットによるデータ伝送は、セクションを用いてデータを伝送する方式とＰＥＳ（Ｐａｃｋｅｔｉｚｅｄ  Ｅｌｅｍｅｎｔａｒｙ  Ｓｔｒｅａｍ）パケットを用いてデータを伝送する方式（データストリーム伝送方式）とに分類される。
【００３０】
セクションを用いてデータを伝送する方式には、データカルーセル伝送方式と、イベントメッセージ伝送方式がある。
【００３１】
データカルーセル伝送方式は、１又は複数のデータを一定周期で繰り返し伝送される伝送方式であり、この伝送方式によって伝送される個々のデータ（モジュール）には個々のデータを識別するための識別情報が付されている。データカルーセル伝送方式は、受信機４側に個々のデータを任意のタイミングで取得させることを目的として用いられる。
【００３２】
イベントメッセージ伝送方式は、放送局１から受信機４に対して、トリガ信号を送るための方式である。イベントメッセージ伝送方式は、データ量が少ないメッセージを放送局１から受信機４に伝送する場合に用いられる。
【００３３】
データストリーム伝送方式は、伝送するデータをＰＥＳパケットに収容してストリームとして伝送する伝送方式である。データストリーム伝送方式は、映像、音声、字幕データ等のリアルタイム型のデータや、他のストリームとの同期を要するデータの伝送に用いられる。
【００３４】
ここで、ＡＩＴは、ＴＳパケットを用いて様々な方法によって伝送可能である。
すなわち、ＡＩＴは、ＴＳパケットのＳＩに含まれるＥＩＴに対して記述することによって伝送可能である。
【００３５】
また、ＡＩＴは、セクションを用いてデータカルーセル伝送方式により伝送可能である。ＡＩＴをデータカルーセル伝送方式により伝送する場合、受信機４側でＡＩＴであることを認識できるようにモジュールに対して識別情報が付される。
【００３６】
また、ＡＩＴは、ＰＥＳとしてコンテンツの映像や音声に多重させて伝送が可能である。
【００３７】
また、ＡＩＴは、バイナリ表現又はＸＭＬ（Ｅｘｔｅｎｓｉｂｌｅ  Ｍａｒｋｕｐ  Ｌａｎｇｕａｇｅ）によるテキスト表現で記述して、ＴＳパケットに格納することができる。
本実施形態では、ＡＩＴの伝送方法は、上記の伝送方法の少なくともいずれかに予め規定されているものとする。
【００３８】
マルチメディア符号化（ＢＭＬ：Ｂｒｏａｄｃａｓｔ  Ｍａｒｋｕｐ  Ｌａｎｇｕａｇｅ）は、Ｗ３Ｃ（登録商標）（Ｗｏｒｌｄ  Ｗｉｄｅ  Ｗｅｂ  Ｃｏｎｓｏｒｔｉｕｍ）が定義したｘＨＴＭＬを基礎とし、手続き型言語にはＪａｖａＳｃｒｉｐｔ（登録商標）を基礎としたＥＣＭＡＳｃｒｉｐｔを用いて国際標準との整合性を考慮して定義された規格である。
【００３９】
サービスサーバ３は、図示は省略するが、番組コンテンツや、アプリケーションに対して配信するコンテンツ（アプリ用コンテンツ）を配信するコンテンツ配信サーバと、受信機４で動作する各種のアプリケーションを配信するアプリケーション配信サーバとを備える。
【００４０】
サービスサーバ３は、放送局１の設備と通信可能に接続されており、放送局１から番組コンテンツや、番組コンテンツのメタデータを受信する。
サービスサーバ３は、受信機４から番組コンテンツの取得要求を受け付けたことに応じて、受信機４に対して番組コンテンツを送信する。
【００４１】
また、サービスサーバ３は、受信機４からアプリケーションの取得要求を受け付けたことに応じて、受信機４に対してアプリケーションを送信する。さらに、サービスサーバ３は、受信機４においてアプリケーションが実行されている場合に、アプリ用コンテンツの映像データや音声データ等を受信機４に送信する。
【００４２】
また、サービスサーバ３は、ＡＩＴを番組コンテンツに対して多重化させて受信機４に送信する。また、サービスサーバ３は、受信機４からＡＩＴの取得要求を受け付けたことに応じて、受信機４に対してＡＩＴを送信する。
【００４３】
受信機４は、放送局１からの放送又はサービスサーバ３との通信を介して受信する番組コンテンツに対して所定の処理を行うことにより、番組コンテンツの映像データ及び音声データを同期して出力する。また、受信機４は、ＡＩＴに基づいてアプリケーションを取得し、取得したアプリケーションを実行する。続いて、受信機４は、実行されているアプリケーションによってサービスサーバ３からアプリ用コンテンツの映像データや音声データ等を取得し、番組コンテンツの映像データ及び音声データに連携させて出力する。以下に、受信機４の機能について詳述する。
【００４４】
図３は、受信機４の機能構成を示すブロック図である。
受信機４は、放送波受信部１１と、第１分離部１２と、放送ＡＩＴ取得部１３と、通信部１４と、第２分離部１５と、通信ＡＩＴ取得部１６と、アプリケーション実行制御部１７と、音声制御部１８と、表示制御部１９と、スピーカ２０と、ディスプレイ２１と、メモリ２２と、ＡＩＴ記憶部２３とを備える。
【００４５】
放送波受信部１１は、放送用アンテナ２を介して放送局１から放送されている放送波を受信する。
【００４６】
第１分離部１２は、放送波受信部１１により受信した放送波を復調し、放送波から放送信号、すなわち、ＴＳパケットを抽出する。そして、第１分離部１２は、ＴＳパケットのＰＳＩ／ＳＩを参照して、ＴＳパケットに含まれているデータの種別を判別し、映像、音声、ＥＩＴ等の各種データを抽出する。また、第１分離部１２は、予め規定されているＡＩＴの伝送方法に応じて、セクション及びＰＥＳを参照してＡＩＴを抽出する。
【００４７】
続いて、第１分離部１２は、ＴＳパケットのＰＥＳに含まれているデータが音声データである場合、この音声データを音声制御部１８に出力する。また、第１分離部１２は、ＴＳパケットのＰＥＳに含まれているデータが映像データである場合、この映像データを表示制御部１９に出力する。
【００４８】
また、第１分離部１２は、抽出したＥＩＴやその他の各種データをメモリ２２に記憶させる。また、第１分離部１２は、ＡＩＴを抽出した場合、抽出したＡＩＴを放送ＡＩＴ取得部１３に出力する。
【００４９】
放送ＡＩＴ取得部１３は、第１分離部１２から出力されたＡＩＴを取得し、ＡＩＴ記憶部２３に記憶させる。
【００５０】
通信部１４は、通信ネットワークＮを介してサービスサーバ３とデータの送受信を行う通信インタフェースである。
【００５１】
第２分離部１５は、通信部１４により受信されたデータの種別を判別する。第２分離部１５は、受信したデータがＡＩＴであると判別した場合、このＡＩＴを通信ＡＩＴ取得部１６に出力する。また、第２分離部１５は、受信したデータがアプリケーションであると判別した場合、このアプリケーションをアプリケーション実行制御部１７に出力する。
【００５２】
例えば、第２分離部１５は、受信したデータがＴＳパケットであると判別した場合、映像、音声、ＡＩＴ等の各種データをＴＳパケットから抽出する。そして、第２分離部１５は、ＡＩＴを抽出した場合、このＡＩＴを通信ＡＩＴ取得部１６に出力し、ＡＩＴ以外のデータを抽出した場合、このデータをアプリケーション実行制御部１７に出力する。
【００５３】
通信ＡＩＴ取得部１６は、第２分離部１５から出力されたＡＩＴを取得し、ＡＩＴ記憶部２３に記憶させる。
【００５４】
アプリケーション実行制御部１７は、ＡＩＴ又はリモコンＲを介したユーザの実行指示に基づいてアプリケーションを取得し、取得したアプリケーションの実行を制御する。そして、アプリケーション実行制御部１７は、アプリケーションの実行によってサービスサーバ３から取得されたアプリ用コンテンツの音声データを音声制御部１８に出力するとともに、サービスサーバ３から取得されたアプリ用コンテンツの映像データを表示制御部１９に出力する。
【００５５】
図４は、ＸＭＬ形式で記述されたＡＩＴの一例を示す図である。上述したように、ＡＩＴには、１又は複数のアプリケーションそれぞれに対応し、１又は複数のアプリケーションそれぞれを管理するための個別管理情報が１又は複数含まれる。
具体的には、図４に示される＜ｍｈｐ：Ａｐｐｌｉｃａｔｉｏｎ＞タグから＜／ｍｈｐ：Ａｐｐｌｉｃａｔｉｏｎ＞タグまでに記述されているコードは、一のアプリケーションに関する個別管理情報に対応している。ＡＩＴには、＜／ｍｈｐ：Ａｐｐｌｉｃａｔｉｏｎ＞タグの後に、他のアプリケーションの個別管理情報を新たに記述することによって、複数の個別管理情報を記述することができる。
【００５６】
また、個別管理情報に対応するコードのうち、例えば、＜ｍｈｐ：ａｐｐＩｄ＞タグに対応するコードは、アプリケーションのＩＤ（識別情報）を示している。また、＜ｍｈｐ：ｃｏｎｔｒｏｌＣｏｄｅ  ｍｈｐ：ｔｙｐｅ＝“ＡＲＩＢ−Ｊ”＞タグに対応するコードは、このアプリケーションのライフサイクル制御情報を示しており、図４に示される「ＡＵＴＯＳＴＡＲＴ」は、受信機４によってアプリケーションを自動実行させるライフサイクル制御情報である。また、＜ｍｈｐ：ｌｏｃａｔｉｏｎ＞タグに対応するコードは、このアプリケーションの所在を示すロケーション情報を示している。図４に示されるように、ロケーション情報には、アプリケーションの所在として、サービスサーバ３のアドレスが記述されている。なお、ロケーション情報には、アプリケーションの所在として、受信機４に備えられている記憶部（不図示）のアドレスを指定することもできる。
【００５７】
アプリケーション実行制御部１７は、ＡＩＴ記憶部２３を監視し、新たにＡＩＴが記憶された場合に、このＡＩＴに記述されているライフサイクルに係る制御情報を参照する。そして、アプリケーション実行制御部１７は、ライフサイクルに係る制御情報が「自動実行」を示すものである場合、ＡＩＴに記述されているロケーション情報をアプリケーションの取得先として、通信部１４及び第２分離部１５を介してサービスサーバ３からアプリケーションを取得し、取得したアプリケーションを実行する。この場合、アプリケーションは、受信機４のユーザから明示的な操作指示を受けることなく自動的に実行される。
【００５８】
また、アプリケーション実行制御部１７は、受信機４のユーザからリモコンＲを介してアプリケーションの実行指示を受け付ける。例えば、リモコンＲには、Ｈｙｂｒｉｄｃａｓｔ（登録商標）ボタンが設けられており、アプリケーション実行制御部１７は、受信機４のユーザによってＨｙｂｒｉｄｃａｓｔボタンが押下されたことに応じて、実行するアプリケーションの選択を受け付けるためのメニュー画面の実行指示を受け付ける。
【００５９】
アプリケーション実行制御部１７は、メニュー画面の実行指示を受け付けたことに応じて、ＡＩＴ記憶部２３を参照し、実行可能なアプリケーションのＡＩＴを特定する。そして、アプリケーション実行制御部１７は、特定したＡＩＴに対応するアプリケーションを選択可能なメニュー画面を構成する映像データを表示制御部１９に出力して、このメニュー画面をディスプレイ２１に表示させる。
【００６０】
また、受信機４のユーザからリモコンＲを介してアプリケーションの選択操作を受け付けた場合、アプリケーション実行制御部１７は、ＡＩＴに記述された当該アプリケーションのロケーション情報を参照してアプリケーションを取得し、アプリケーションを実行する。なお、メニュー画面を表示させる方法は、リモコンＲの使用に限らず、他の手段によって行われても良い。
【００６１】
アプリケーションは、アプリケーション実行制御部１７に対して、アプリ用コンテンツの映像データ及び音声データをサービスサーバ３から取得させる。そして、アプリケーション実行制御部１７は、アプリケーションによって取得したアプリ用コンテンツの音声データを音声制御部１８に出力するとともに、アプリケーションによって取得したアプリ用コンテンツの映像データを表示制御部１９に出力する。ここで、アプリケーションが番組コンテンツに連動するアプリコンテンツを提供するアプリケーションである場合には、アプリ用コンテンツの映像データ及び音声データが番組コンテンツの映像データ及び音声データに連動してディスプレイ２１に表示される。
【００６２】
また、アプリケーション実行制御部１７は、ＡＩＴ記憶部２３を監視し、実行中のアプリケーションに対応する個別管理情報を記述したＡＩＴが新たにＡＩＴ記憶部２３に記憶された場合、この個別管理情報に含まれるライフサイクル制御情報に基づいて、実行中のアプリケーションを制御する。例えば、アプリケーションのライフサイクル制御情報が「終了」を示すものであるとき、アプリケーションを終了させる。
【００６３】
音声制御部１８は、第１分離部１２から出力された音声データを、表示制御部１９により表示制御される映像データと同期をとりながらスピーカ２０に出力する。また、音声制御部１８は、アプリケーション実行制御部１７から出力された音声データが表示制御部１９により表示制御される映像データと同期可能である場合、この映像データと同期をとりながら音声データをスピーカ２０に出力する。
【００６４】
表示制御部１９は、第１分離部１２から出力された映像データを、音声制御部１８により出力制御される音声データと同期をとりながらディスプレイ２１に表示させる。また、表示制御部１９は、アプリケーション実行制御部１７から出力された映像データが音声制御部１８により出力制御される音声データと同期可能である場合、この音声データと同期をとりながら映像データをディスプレイ２１に表示させる。
【００６５】
メモリ２２は、ＥＩＴ等の番組コンテンツのメタデータやその他各種情報を記憶する。
ＡＩＴ記憶部２３は、放送ＡＩＴ取得部１３及び通信ＡＩＴ取得部１６によって取得されたＡＩＴを記憶する。
【００６６】
つぎに、親局（放送局１）から、地方の下位局に対して、番組コンテンツが配信される場合について説明する。ここで、全国中継される番組コンテンツは、そのコンテンツの大部分が、親局で作成され、中継回線を経由してそれを受ける各地方都市の系列の放送局（下位局）へ送信される。下位局は、親局から送信されてきた放送信号に対して、一旦デコード処理を行った後、再エンコード処理を行って、出力する。
【００６７】
ここで、下位局の放送機器１００の構成について説明する。放送機器１００は、図５に示すように、受信部１０１（受信手段）と、分離処理部１０２（分離処理手段）と、コンテンツ処理部１０３（コンテンツ処理手段）と、削除部１０４（削除手段）と、記憶部１０５と、読出部１０６（読出手段）と、付加部１０７（付加手段）と、多重化処理部１０８（多重化処理手段）と、送信部１０９（送信手段）を備える。
【００６８】
受信部１０１は、他の放送局（例えば、親局である放送局１）から配信されてきた放送信号を受信する。
【００６９】
分離処理部１０２は、受信部１０１により受信した放送信号を映像等コンテンツ（以下、番組コンテンツという。）と制御情報に分離処理する。制御情報とは、メタデータやアプリケーション管理情報（ＡＩＴ）が含まれる概念である。また、メタデータとは、放送信号に多重化されている情報であって、番組タイトルや、番組ＩＤや、番組概要や、出演者情報や、放送日時の情報等から構成されている。
【００７０】
コンテンツ処理部１０３は、分離処理部１０２により分離処理された番組コンテンツを処理する。コンテンツ処理部１０３は、番組コンテンツをデコード処理した後、再エンコード処理等を行う。
【００７１】
削除部１０４は、分離処理部１０２により分離処理された制御情報に含まれているアプリケーション管理情報（ＡＩＴ）を削除する。
【００７２】
記憶部１０５は、番組コンテンツに連携するアプリケーションのＡＩＴを記憶する。
読出部１０６は、制御情報に含まれている番組コンテンツを示す情報（例えば、番組ＩＤ）に基づいて、番組コンテンツに連携するＡＩＴを記憶部１０５から読み出す。
【００７３】
付加部１０７は、削除部１０４によりＡＩＴが削除された制御情報に、読出部１０６により読み出されたＡＩＴを付加する。
多重化処理部１０８は、付加部１０７によりＡＩＴが新たに付加された制御情報と、コンテンツ処理部１０３により処理された後の番組コンテンツを多重化処理する。
送信部１０９は、多重化処理部１０８により多重化処理された信号を放送信号として送信する。
【００７４】
このように構成される放送機器１００は、例えば、コンテンツ処理部１０３において、親局から配送されてきた番組コンテンツの一部を、他の番組コンテンツに差し替えた場合に、当該他の番組コンテンツに連携するアプリケーションのＡＴＩに差し替えるので、番組コンテンツとＡＩＴにミスマッチングを生じさせないメリットがある。
【００７５】
また、放送機器１００は、図５に示すように、さらに、アプリケーション管理情報を差し替える必要があるかどうかを判断する判断制御部１１０（判断制御手段）を備える構成でも良い。
【００７６】
記憶部１０５は、映像等コンテンツを一意に特定するコンテンツ識別情報と、当該映像等コンテンツに連携するアプリケーション管理情報が関連付けられている関連テーブルを有している。
【００７７】
判断制御部１１０は、関連テーブルを参照し、映像等コンテンツのコンテンツ識別情報に基づいて、記憶部１０５に当該映像等コンテンツに関連するＡＩＴが有ることを確認した場合には、削除部１０４と読出部１０６に対して、ＡＩＴの差し替え処理を行うように制御する。
【００７８】
このような構成によれば、放送機器１００は、記憶部１０５に差し替えに必要なＡＩＴが無ければ、ＡＩＴの差し替え処理を行わず、分離処理部１０２により分離処理された制御情報を変更せずに、削除部１０４と付加部１０７を介して、そのまま多重化処理部１０８に供給し、多重化処理部１０８でコンテンツ処理部１０３により処理された後の番組コンテンツと多重化処理させる。
したがって、放送機器１００は、必要に応じてＡＩＴの差し替え処理を行うことができる。
【００７９】
また、ＡＩＴには、上述したように、連携するアプリケーションの所在を示すロケーション情報が含まれている（図４を参照）。
【００８０】
したがって、放送機器１００は、受信部１０１で受信した放送信号の制御情報に含まれているＡＩＴから、記憶部１０５に記憶されているＡＩＴに差し替えるので、親局と下位局において、ＡＩＴに基づいてアクセスするサービスサーバを異ならすことができ、サービスサーバの処理負担を軽減することができる。
【００８１】
また、コンテンツ処理部１０３は、番組コンテンツに含まれる広告コンテンツを別の広告コンテンツに差し替え、読出部１０６は、コンテンツ処理部１０３により差し替えられる広告コンテンツに対応する連携アプリケーション管理情報を記憶部１０５から読み出す構成であっても良い。
【００８２】
なお、広告コンテンツとは、番組の宣伝（いわゆる、番宣）や、ＣＭ（コマーシャル）を含むが概念である。
【００８３】
また、放送機器１００は、広告コンテンツの差し替えに伴って、メタデータの変更が必要になった場合には、適宜、メタデータを変更する機能を有している。
【００８４】
このようにして、放送機器１００は、広告コンテンツの差し替えに応じて、ＡＩＴも差し替えるので、例えば、下位局において、差し替えた広告コンテンツとＡＩＴにミスマッチングを生じさせないメリットがある。
【００８５】
なお、本実施例では、主に放送機器の構成と動作について説明したが、これに限られず、各構成要素を備え、必要に応じて放送コンテンツに連携するアプリケーション管理情報を差し替えるための方法、及びプログラムとして構成されても良い。
【００８６】
さらに、放送機器の機能を実現するためのプログラムをコンピュータで読み取り可能な記録媒体に記録して、この記録媒体に記録されたプログラムをコンピュータシステムに読み込ませ、実行することによって実現しても良い。
【００８７】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００８８】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また、上記プログラムは、前述した機能の一部を実現するためのものであっても良く、さらに前述した機能をコンピュータシステムにすでに記録されているプログラムとの組み合わせで実現できるものであっても良い。
【符号の説明】
【００８９】
１  放送局
２  放送用アンテナ
３  サービスサーバ
４  受信機
１００  放送機器
１０１  受信部
１０２  分離処理部
１０３  コンテンツ処理部
１０４  削除部
１０５  記憶部
１０６  読出部
１０７  付加部
１０８  多重化処理部
１０９  送信部
１１０  判断制御部
【図１】
2012157741.tif 000003
【図２】
2012157741.tif 000004
【図３】
2012157741.tif 000005
【図４】
2012157741.tif 000006
【図５】
2012157741.tif 000007
【国際調査報告】
2012157741.tif 000008
2012157741.tif 000009
2012157741.tif 000010